(57)【要約】【課題】ピックアップされる監視対象機器の状態データのうち監視対象機器の運転中のデータが多く含まれる冷熱遠隔監視システムを提供する【解決手段】冷熱遠隔監視システムは、周期的に収集された監視対象機器の状態データを予め設定されたピックアップ時刻毎に日報作成用データとして格納するデータ収集装置と上記格納された日報作成用データをポーリングする監視サーバとを有する冷熱遠隔監視システムにおいて、上記データ収集装置は、上記監視対象機器の運転状況を検知し記録する運転状況記録部を有し、上記ピックアップ時刻に達したとき、該ピックアップ時刻が内に含まれた所定の間隔に該監視対象機器が運転されている期間がある場合、該期間に収集された状態データを、該間隔に運転された期間がない場合、該ピックアップ時刻に収集された状態データを日報作成用データとして採用し格納する。【選択図】図５
2005315466.tif 000002
【特許請求の範囲】
【請求項１】
周期的に収集された監視対象機器の状態データを予め設定されたピックアップ時刻毎に日報作成用データとして格納するデータ収集装置と上記格納された日報作成用データをポーリングして上記日報作成用データを回収する監視サーバとを有する冷熱遠隔監視システムにおいて、
上記データ収集装置は、
上記監視対象機器の運転状況を検知し記録する運転状況記録部を有し、
上記ピックアップ時刻に達したとき、該ピックアップ時刻が内含された所定の間隔において該監視対象機器が運転されている期間がある場合、該期間に収集された状態データを、該間隔に運転された期間がない場合、該ピックアップ時刻に収集された状態データを日報作成用データとして採用し格納することを特徴とする冷熱遠隔監視システム。
【請求項２】
上記データ収集装置は、上記所定の間隔に複数の連続した運転期間がある場合、最も長い運転期間でかつ該ピックアップ時刻に最も近い時刻に運転された期間に収集された状態データを日報作成用データとして採用し格納することを特徴とする請求項１に記載する冷熱遠隔監視システム。
【請求項３】
上記データ収集装置は、収集された状態データを先入れ先出し法により所定の間保管することを特徴とする請求項１に記載する冷熱遠隔監視システム。
【請求項４】
上記ピックアップ時刻は、監視対象機器の管理者が設定することを特徴とする請求項１に記載する冷熱遠隔監視システム。
【発明の詳細な説明】
【技術分野】
【０００１】
この発明は、冷凍機器または空調機器などの冷熱機器の状態が記録された記録データを１台の装置で収集しかつプリンタやパソコン等へデータを出力する冷熱遠隔監視システムに関するものである。
【背景技術】
【０００２】
従来の遠隔監視装置は、複数のビル内に、それぞれ１台以上のエレベータ、エスカレータ、あるいは空調機器等の設備機器およびこれらの設備機器の状態データを収集して記憶するとともに、収集した各種データを電話回線を介してデータ収集センタに対して自発的あるいはデータ収集センタの要求に応じて伝送する監視端末器と、監視端末器により伝送されたビル毎、設備機器毎の各種データを記憶するとともに各種データを編集する機能を有するデータ収集センタとを有している（例えば、特許文献１参照。）。
【０００３】
【特許文献１】特開平８−３０７５４１号公報
【発明の開示】
【発明が解決しようとする課題】
【０００４】
しかし、従来の遠隔監視装置において設備機器の状態が記録されている監視端末器から時間的条件に基づいて設備機器の状態を示すデータをデータ収集センタがピックアップしているので、連続運転時間が短く発停回数が多い冷凍機器または空調機器などのような冷熱機器では運転中のデータがピックアップされずに停止中のデータがピックアップされるため、そのデータに基づいて作成された日報が設備管理のための日報としての有用性に乏しいという問題がある。
【０００５】
この発明の目的は、ピックアップされる監視対象機器の状態データのうち監視対象機器の運転中のデータが多く含んだ有用性の高い冷熱遠隔監視システムを提供することである。
【課題を解決するための手段】
【０００６】
この発明に係わる冷熱遠隔監視システムは、周期的に収集された監視対象機器の状態データを予め設定されたピックアップ時刻毎に日報作成用データとして格納するデータ収集装置と上記格納された日報作成用データをポーリングして上記日報作成用データを回収する監視サーバとを有する冷熱遠隔監視システムにおいて、上記データ収集装置は、上記監視対象機器の運転状況を検知し記録する運転状況記録部を有し、上記ピックアップ時刻に達したとき、該ピックアップ時刻が内含された所定の間隔において該監視対象機器が運転されている期間がある場合、該期間に収集された状態データを、該間隔に運転された期間がない場合、該ピックアップ時刻に収集された状態データを日報作成用データとして採用し格納する。
【発明の効果】
【０００７】
このような冷熱遠隔監視システムは、日報に記載するデータに占める運転中のデータの割合が大きいので、日報が冷熱機器の管理用データとして有用である。
【発明を実施するための最良の形態】
【０００８】
実施の形態．
図１は、この発明の実施の形態に係わる冷熱遠隔監視システムの構成を示すブロック図である。図２は、実施の形態に係わる管理装置の機能ブロック図である。
この冷熱遠隔監視システム１は、色々な位置に置かれている複数の冷凍機器または空調機器（以下、監視対象機器２と称す。）を監視センタ３にて一元的に監視するときに用いられている。
各監視対象機器２は、その状態を監視するための温度センサ、圧力センサなどからなる状態センサ４が備えられている。さらに、監視対象機器２は、それが運転中または停止中のいずれかを検出する稼働センサ５が備えられている。稼働センサ５は、監視対象機器２の電源に供給される電力を計測する電力計からなる。
【０００９】
冷熱遠隔監視システム１は、各監視対象機器２に付随して設置されているデータ収集装置６、監視センタ３に備えられた監視サーバ７から構成されている。
監視サーバ７は、管理者が自身の監視対象機器２のデータを監視サーバ７からポーリングして日報を作成するパソコン８がインターネット９を介して接続されている。
データ収集装置６と監視サーバ７は、公衆通信回線１０を介して接続されている。
【００１０】
データ収集装置６は、監視対象機器２に備えられた状態センサ４から入力されるアナログ状態データをディジタル状態データに変換するＡ／Ｄ変換器１１、監視対象機器２の運転中または停止中を検出して運転記録として保管する運転記録保管装置１２、ディジタル状態データを集積し、演算し、加工を行う管理装置１３、監視サーバ７との通信を司る通信装置１４を有している。
【００１１】
一方、監視サーバ７は、通信装置１５を介して公衆通信回線１０と接続されている。
監視サーバ７は、管理装置１３において格納された日報作成用データを１日１回の割合で自動ポーリングすることにより通信装置１５を経由して収集し、監視サーバ７のデータベースに格納する。
管理者は、この自動ポーリングする時刻を予め定めておき、管理者が設置したパソコン８からインターネット９を経由して監視サーバ７にアクセスし、日報作成用データをダウンロードした上で、日報作成ソフトウエアにより日報作成用データを基にした日報を作成し、出力し、管理する。
【００１２】
管理装置１３は、図２に示すように、周期的に取り込まれた状態データを用いて記憶されている状態データベースを更新するデータ更新手段２１、状態データベースと運転記録とから日報作成用データを作成する日報作成用データ作成手段２２、状態データベースと作成された日報作成用データとを記憶する記憶手段２３を有している。管理装置１３は、ＣＰＵ、ＲＡＭ、ＲＯＭ、インタフェース回路を有するコンピュータから構成されている。
【００１３】
記憶手段２３は、図３に示すような状態データベースが記憶されている。図３は、状態データベースのデータ構造を示す図である。状態データベースは、所定の周期、例えば１分毎に状態データと時刻とが１つのレコードとして構成されている。そして、レコードの数は２時間分、１２０個から構成されている。状態データとして、温度１、温度２、圧力１、圧力２などが記憶されている。
データ更新手段２１は、周期的に一番古いレコードの状態データを削除し、その他のレコードの状態データを１つ古い状態データに割り当てられているレコードに移し替える。そして、新たに取り込まれた状態データを最新の状態データに割り当てられたレコードに記憶するように記憶手段２３に指令する。この状態データの状態データベースへの更新操作は、先入れ先出し法に則って行われる。なお、記憶手段２３に記憶される情報の量は記憶手段２３のメモリ容量に依存する。
日報作成用データ作成手段２２は、あらかじめ設定された１日当たりｎ個のピックアップ時刻において日報作成用データを作成し、その日報作成用データを記憶手段２３の日報作成用データ格納領域に格納する。
【００１４】
次に、日報作成用データの作成の手順について図４を参照して説明する。図４は、日報作成用データの作成手順を示すフローチャートである。
ステップ１０１で、データ更新手段２１は状態データをＡ／Ｄ変換器１１から収集する。
ステップ１０２で、データ更新手段２１は記憶手段２３に収集した状態データを記憶するように指令する。記憶手段２３は、この指令に基づき最新の状態データを時刻と合わせて状態データベースを更新する。
ステップ１０３で、日報作成用データ作成手段２２は、あらかじめ設定されているピックアップ時刻に達したか否か判断する。達していないとき、ステップ１０１へ戻る。ピックアップ時刻に達したとき、ステップ１０４に進む。
【００１５】
ステップ１０４で、日報作成用データ作成手段２２は、運転ＯＮ検索処理を実行する。  運転ＯＮ検索処理は、以下のように行われる。なお、あらかじめ運転検索区間を求めるための時間ｍ（分）と優先順位とが設定されている。運転検索区間は、監視対象機器の運転状況、すなわち運転中または停止中のいずれかを検索する範囲を意味する。運転検索区間は、ピックアップ時刻の前後ｍ（分）の範囲になる。ｍ（分）は任意に設定することができる。
運転記録保管装置１２は、図５、６にも示されているように、運転中（ＯＮ）と停止中（ＯＦＦ）が連続して記録されている。日報作成用データ作成手段２２は、この運転記録保管装置１２の運転記録から運転検索区間内の連続運転期間を計時して求める。連続運転期間は、運転開始から運転終了までの期間である。連続運転時間は、この連続運転期間の長さである。この連続運転期間の状態データとして、連続運転期間の中間の時刻の状態データを採用する。
優先順位は次のように設定されている。優先順位１は、ピックアップ時刻に監視対象機器が運転中であることである。この場合、ピックアップ時刻の状態データを日報作成用データとする。
優先順位２は、ピックアップ時刻に監視対象機器が停止中で、運転検索区間内に運転中の期間がある場合、運転検索区間内における連続運転時間の長さが長い方の期間の状態データを日報作成用データとして採用する。
優先順位３は、連続運転時間の長さが同じときピックアップ時刻に近い方の期間の状態データを日報作成用データとして採用する。
もし、運転検索区間内で監視対象機器が停止中であれば、ピックアップ時刻の状態データを日報作成用データとして採用する。
このように運転検索区間内で一度でも運転された場合、そのときの状態データを日報作成用データとして採用することができ、停止中の状態データを採用する割合が大幅に減少する。
次に、ステップ１０５で運転ＯＮ検索処理により採用された状態データを記憶手段２３の日報作成用データ格納領域に格納する。
【００１６】
次に、図５に示す例１を参照して運転ＯＮ検索処理について具体的に説明する。
運転ＯＮ検索処理のｍ（分）として５（分）があらかじめ設定されているとする。だから、あるピックアップ時刻ｐの運転検索区間は（ｐ−５）から（ｐ＋５）までの１０分間となる。なお、この例１において監視対象機器は、（ｐ−２）で１分間（図５のＡの期間）、（ｐ＋３）から（ｐ＋５）で３分間運転中（図５のＢの期間）になっている。
そこで、上述の優先順位に従うと連続運転時間がＢの期間の方がＡの期間より長いのでＢの期間を選択し、そのＢの期間の中間の時刻ｂにおける状態データをピックアップ時刻ｐの日報作成用データとして、日報作成用データ記憶領域に格納する。
【００１７】
次に、図６に示す例２について運転検索ＯＮ処理について説明する。
この例２において運転ＯＮ検索処理のｍ（分）は例１と同様に５（分）と設定されている。だから、あるピックアップ時刻ｑの運転検索区間は（ｑ−５）から（ｑ＋５）までの１０分間となる。なお、この例２において監視対象機器は、（ｑ−２）で１分間（図６のＣの期間）、（ｑ＋３）で１分間運転（図６のＤの期間）されている。
そこで、上述の優先順位に従うと連続運転時間はＣの期間とＤの期間が同じであるので、ピックアップ時刻ｑに近いＣの期間が選択され、そのＣの期間の中間の時刻ｃにおける機器状態情報をピックアップ時刻ｑの日報作成用データとして、日報作成用データ記憶領域に格納する。
【００１８】
このような冷熱遠隔監視システムは、日報に記載するデータに占める運転中のデータの割合が大きいので、日報が冷熱機器の管理用データとして有用である。
【００１９】
また、長く運転されたときの状態データから日報が作成されるので、監視対象機器の通常の状態をより正確に反映した日報になるので、さらに有用性が向上する。
また、ピックアップ時刻に最も近い状態データから日報が作成されるので、日々の定時な状態を反映した日報になるので、さらに有用性が向上する。
【００２０】
また、所定の間状態データが保管されるので、管理者が所望の時刻の状態データを用いて日報を作成することができる。
また、管理者は、自身でピックアップ時刻を設定することができるので、自身の望む時刻における機器の状態を確認することができる。
【図面の簡単な説明】
【００２１】
【図１】この発明の実施の形態に係わる冷熱遠隔監視システムの構成を示すブロック図である。
【図２】実施の形態に係わる管理装置の機能ブロック図である。
【図３】実施の形態に係わる状態データベースのデータ構造を示す図である。
【図４】日報作成用データの作成手順を示すフローチャートである。
【図５】運転ＯＮ検索処理を説明するための例１としての時刻と運転記録とを示した図である。
【図６】運転ＯＮ検索処理を説明するための例２としての時刻と運転記録とを示した図である。
【符号の説明】
【００２２】
１  冷熱遠隔監視システム、２  監視対象機器、３  監視センタ、４  状態センサ、５  稼働センサ、６  データ収集装置、７  監視サーバ、８  パソコン、９  インターネット、１０  公衆通信回線、１１  Ａ／Ｄ変換器、１２  運転記録保管装置、１３  管理装置、１４、１５  通信装置、２１  データ更新手段、２２  日報作成用データ作成手段、２３  記憶手段。
【図１】
2005315466.tif 000003
【図２】
2005315466.tif 000004
【図３】
2005315466.tif 000005
【図４】
2005315466.tif 000006
【図５】
2005315466.tif 000007
【図６】
2005315466.tif 000008